(57)【要約】【課題】筐体に取り付けられることで外部からの噴流水に対する防水性を高めることを可能にした換気装置を提供する。【解決手段】換気装置１１は、屋外に設置されるとともに電気機器を収容する筐体Ｈの側部Ｓに取り付けられ、筐体Ｈ内を換気する。換気装置１１は、複数の通気部２５を有するルーバー部材２１とルーバー部材２１を支持するとともに筐体Ｈの側部Ｓの外側に突出する枠体３１とを備える。ルーバー部材２１は、外側ルーバー部材２２と内側ルーバー部材２３と中間ルーバー部材２４とを備える。外側ルーバー部材２２における複数の通気部２５は、外側ルーバー部材２２を構成する本体板２６よりも外側に突出するとともに下方に開口する羽板２７を有する。【選択図】図２
2017157614.tif 000002
【特許請求の範囲】
【請求項１】
屋外に設置されるとともに電気機器を収容する筐体の側部に取り付けられ、前記筐体内を換気するための換気装置であって、
複数の通気部を有するルーバー部材と、前記ルーバー部材を支持するとともに前記筐体の側部の外側に突出する枠体と、を備え、
前記通気部は、前記ルーバー部材を構成する本体板が有する貫通孔と、前記貫通孔を覆う羽板とから構成され、
前記ルーバー部材は、
外側ルーバー部材と、内側ルーバー部材と、前記外側ルーバー部材と前記内側ルーバー部材との間に配置される中間ルーバー部材と、を備え、
前記外側ルーバー部材における複数の通気部は、同外側ルーバー部材を構成する本体板よりも外側に突出するとともに下方に開口する羽板を有することを特徴とする換気装置。
【請求項２】
請求項１に記載の換気装置において、
前記中間ルーバー部材における複数の通気部は、同中間ルーバー部材を構成する本体板よりも外側に突出するとともに上方に開口する羽板を有することを特徴とする換気装置。
【発明の詳細な説明】
【技術分野】
【０００１】
本発明は、電気機器を収容する筐体に用いられる換気装置に関する。
【背景技術】
【０００２】
従来、電気機器を収容する筐体には、筐体内を換気する換気装置が設けられている。こうした換気装置としては、外側ルーバー部材と内側ルーバー部材との二層構造を有する構成が知られている（特許文献１参照）。
【０００３】
また、電気機器を収容する筐体の側部をルーバー部分として利用した換気構造が知られている（特許文献２参照）。特許文献２には、電子機器を収納する筐体の側部を第１の側壁部と、第１の側壁部の内側に設けられる第２の側壁部とから構成し、さらに側部の内側に隔壁部を設けた構成が開示されている（特許文献２の図７等参照）。この筐体は、第１の側壁部、第２の側壁部、及び隔壁部は、開口部を覆うルーバー（羽板）を有している。
【先行技術文献】
【特許文献】
【０００４】
【特許文献１】実開平０５−２３７０４号公報
【特許文献２】特開２０１２−１４６８６０号公報
【発明の概要】
【発明が解決しようとする課題】
【０００５】
電気機器を収容する筐体に取り付けられる換気装置においては、外部からの噴流水の侵入を抑制するという観点から未だ改善の余地がある。例えば、特許文献１に開示される構成のように、外側ルーバー部材と内側ルーバー部材との二層構造では、外部からの噴流水に対する防水性が十分に得られないおそれがある。なお、特許文献２に開示される構成のように、筐体の側壁部をルーバー部分として利用した場合、外部からの噴流水が筐体の内側に比較的多く侵入するおそれがあり、そうした水を筐体外に排出させることが困難となる。
【０００６】
本発明は、こうした実情に鑑みてなされたものであり、その目的は、筐体に取り付けられることで外部からの噴流水に対する防水性を高めることを可能にした換気装置を提供することにある。
【課題を解決するための手段】
【０００７】
上記課題を解決する換気装置は、屋外に設置されるとともに電気機器を収容する筐体の側部に取り付けられ、前記筐体内を換気するための換気装置であって、複数の通気部を有するルーバー部材と、前記ルーバー部材を支持するとともに前記筐体の側部の外側に突出する枠体と、を備え、前記通気部は、前記ルーバー部材を構成する本体板が有する貫通孔と、前記貫通孔を覆う羽板とから構成され、前記ルーバー部材は、外側ルーバー部材と、内側ルーバー部材と、前記外側ルーバー部材と前記内側ルーバー部材との間に配置される中間ルーバー部材と、を備え、前記外側ルーバー部材における複数の通気部は、同外側ルーバー部材を構成する本体板よりも外側に突出するとともに下方に開口する羽板を有する。
【０００８】
この構成によれば、外側ルーバー部材を通過した噴流水は、その勢いが中間ルーバー部材により弱められることで水滴となり易くなる。さらに、中間ルーバー部材を通過した水滴は、その勢いが内側ルーバー部材により弱められることで降下し易くなる。また、外側ルーバー部材によって上方からの噴流水の侵入が好適に抑制される。
【０００９】
なお、上記特許文献１は、外側ルーバー部材と内側ルーバー部材との間に中間ルーバー部材を配置する構成について開示も示唆もしていない。こうした特許文献１からは中間ルーバー部材を配置する動機付けは得られない。また、上記特許文献２は、筐体の側壁部自体にルーバー構造を形成するものであり、筐体に取り付けられる換気装置について開示も示唆もしていない。
【００１０】
上記換気装置において、前記中間ルーバー部材における複数の通気部は、同中間ルーバー部材を構成する本体板よりも外側に突出するとともに上方に開口する羽板を有することが好ましい。
【００１１】
換気装置の外側ルーバー部材が、同外側ルーバー部材を構成する本体板よりも外側に突出するとともに下方に開口する羽板を有している場合、下方から上方へ向かう噴流水が外側ルーバー部材を通じて侵入し易くなる。上記構成によれば、換気装置の中間ルーバー部材は、外側に突出するとともに上方に開口する羽板を有するため、外側ルーバー部材を通じて侵入した噴流水は、中間ルーバー部材の羽板の外面に衝突し易くなる。これにより、外側ルーバー部材と中間ルーバー部材との間に侵入した噴流水は、その勢いが弱められ、水滴となって降下し易くなる。また、中間ルーバー部材の羽板は、上記のように構成されているため、勢いを失った水滴が内側ルーバー部材と中間ルーバー部材との間に誘導され易くなる。すなわち、内側ルーバー部材と中間ルーバー部材との間に侵入する水滴の勢いは失われているため、そうした水滴は内側ルーバー部材を通過し難い。
【発明の効果】
【００１２】
本発明によれば、筐体に取り付けられることで外部からの噴流水に対する防水性を高めることが可能となる。
【図面の簡単な説明】
【００１３】
【図１】本実施形態の換気装置及び筐体の一部を示す分解斜視図である。
【図２】筐体に取り付けられた換気装置を示す断面図である。
【図３】筐体に取り付けられた換気装置の変更例を示す断面図である。
【図４】筐体に取り付けられた換気装置の変更例を示す断面図である。
【発明を実施するための形態】
【００１４】
以下、換気装置の一実施形態について図面を参照して説明する。なお、図面では、部材の厚さを誇張して図示する場合がある。
図１及び図２に示すように、換気装置１１は、屋外に設置されるとともに電気機器を収容する筐体Ｈの側部Ｓ（例えば、筐体Ｈの軒下における側壁部等）に取り付けられ、筐体Ｈ内を換気するための装置である。筐体Ｈの一例としては、例えば、受電装置等を収容したスイッチギアが挙げられる。
【００１５】
換気装置１１は、ルーバー部材２１と、ルーバー部材２１を支持するとともに筐体Ｈの側部Ｓの外側に突出する枠体３１とを備えている。
ルーバー部材２１は、外側ルーバー部材２２と、内側ルーバー部材２３と、外側ルーバー部材２２と内側ルーバー部材２３との間に配置される中間ルーバー部材２４とから構成されている。こうしたルーバー部材２１は、複数の通気部２５を有している。
【００１６】
まず、各ルーバー部材２１に共通する構成について説明する。
図２に示すように、ルーバー部材２１の各通気部２５は、ルーバー部材２１を構成する本体板２６が有する貫通孔２６ａと、貫通孔２６ａを覆う羽板２７とから構成されている。各通気部２５の貫通孔２６ａは、水平方向に延びる形状をなしている。各通気部２５の羽板２７は、上方又は下方に開口するように本体板２６に突設されるとともに、貫通孔２６ａの形状に沿って湾曲した形状をなしている。各ルーバー部材２１における複数の通気部２５は、互いに水平方向に隣り合う複数の列をなすように配列されている。ルーバー部材２１は、本体板２６の周囲に一体に設けられた枠状の取付部２８を備えている。
【００１７】
本実施形態のルーバー部材２１の形状は、四角形状であり、金属材料から一体に形成されている。ルーバー部材２１は、例えば、金属板の打ち抜き加工及び曲げ加工により形成することができる。
【００１８】
次に、各ルーバー部材２１の構成について説明する。
外側ルーバー部材２２における各通気部２５の羽板２７は、外側ルーバー部材２２を構成する本体板２６よりも外側に突出するとともに下方に開口している。内側ルーバー部材２３における各通気部２５の羽板２７は、内側ルーバー部材２３を構成する本体板２６よりも内側に突出するとともに上方に開口している。中間ルーバー部材２４における各通気部２５の羽板２７は、中間ルーバー部材２４を構成する本体板２６よりも外側に突出するとともに上方に開口している。
【００１９】
外側ルーバー部材２２の各通気部２５、内側ルーバー部材２３の各通気部２５、及び中間ルーバー部材２４の各通気部２５は、水平方向において対向するように配置されている。
【００２０】
外側ルーバー部材２２の本体板２６と中間ルーバー部材２４の羽板２７とは離間するとともに、内側ルーバー部材２３の本体板２６と、中間ルーバー部材２４の本体板２６とは離間している。こうした換気装置１１は、外側ルーバー部材２２と中間ルーバー部材２４の間に位置する外側捕集室Ｒ１と、内側ルーバー部材２３と中間ルーバー部材２４の間に位置する内側捕集室Ｒ２とを備えている。
【００２１】
中間ルーバー部材２４（取付部２８）の下端部は、内側ルーバー部材２３と中間ルーバー部材２４との間（内側捕集室Ｒ２）の水を排水するための排水部２４ａを有している。本実施形態の排水部２４ａは、中間ルーバー部材２４の下端を切り欠くように形成されているが、単数又は複数の孔により構成してもよい。
【００２２】
外側ルーバー部材２２及び中間ルーバー部材２４の各取付部２８は、内側に突出する突出部２８ａを有している。
次に、枠体３１とルーバー部材２１の取付構造について説明する。
【００２３】
図１及び図２に示すように、枠体３１は、外側枠体３２と内側枠体３３とから構成されている。外側枠体３２は、外側ルーバー部材２２が取り付けられる被取付部３２ａと、被取付部３２ａの周縁を囲むように設けられる周壁３２ｂとを備えている。内側枠体３３は、内側ルーバー部材２３及び中間ルーバー部材２４が取り付けられる被取付部３３ａと、被取付部３３ａの周縁を囲むように設けられる周壁３３ｂとを備えている。
【００２４】
外側枠体３２の被取付部３２ａには、外側ルーバー部材２２の取付部２８が締結部材４１（ボルト及びナット）により締結固定されている。内側枠体３３の被取付部３３ａには、内側ルーバー部材２３及び中間ルーバー部材２４の取付部２８が締結部材４１（ボルト及びナット）により締結固定されている。
【００２５】
枠体３１は、内側枠体３３の周壁３３ｂの外周面に外側枠体３２の周壁３２ｂの内周面が重ね合わさるように配置され、これら周壁３２ｂ，３３ｂを締結部材４１（ボルト及びナット）により締結固定されることで形成されている。
【００２６】
換気装置１１における中間ルーバー部材２４の支持について詳述すると、中間ルーバー部材２４において取付部２８の突出部２８ａは、枠体３１（内側枠体３３）の被取付部３３ａに当接している。これにより、外側ルーバー部材２２と内側ルーバー部材２３との間における中間ルーバー部材２４の本体板２６の位置が位置決めされる。換言すると、中間ルーバー部材２４は、外側ルーバー部材２２と内側ルーバー部材２３との間における中間ルーバー部材２４の本体板２６の位置を位置決めする位置決め部（突出部２８ａ）を有している。
【００２７】
換気装置１１の枠体３１は、外側ルーバー部材２２と中間ルーバー部材２４との間に連通するとともに内側ルーバー部材２３と中間ルーバー部材２４との間に連通する排水口３１ａを有している。すなわち、排水口３１ａは、上述した外側捕集室Ｒ１と内側捕集室Ｒ２との双方に連通している。詳述すると、排水口３１ａは、枠体３１の周壁３２ｂ，３３ｂの下端部分に形成されている。この排水口３１ａは、外側捕集室Ｒ１に直接連通するとともに、内側捕集室Ｒ２には、中間ルーバー部材２４の排水部２４ａを介して連通している。なお、排水口３１ａの数は特に限定されず、単数であってもよいし、複数であってもよい。また、排水口３１ａの形状についても、特に限定されず、例えば、スリット状であってもよいし、円形状であってもよい。
【００２８】
換気装置１１は、内側ルーバー部材２３及び中間ルーバー部材２４を内側枠体３３に固定する締結部材４１を利用して筐体Ｈの側部Ｓに取り付けられている。このように取り付けられた換気装置１１は、筐体Ｈ内の空気を排気する排気口として構成される。換気装置１１は、排水口３１ａからの水の排出を妨げないように、筐体Ｈの設置面から離間した所定高さの位置に取り付けられる。なお、筐体Ｈの側部Ｓには、必要に応じて、筐体Ｈ内に空気を取り入れる吸気口が設けられる。また、筐体Ｈ内には、空気を吸気口から排気口へ強制的に送る送風機構を設けることもできる。
【００２９】
次に、換気装置１１の主な作用について説明する。
筐体Ｈの側部Ｓに取り付けられた換気装置１１に向けられた噴流水の一部は、図２の実線矢印で示すように、換気装置１１の外側ルーバー部材２２の通気部２５を通過する。ここで、本実施形態の換気装置１１は、外側ルーバー部材２２と、内側ルーバー部材２３と、外側ルーバー部材２２と内側ルーバー部材２３との間に配置される中間ルーバー部材２４とを備えている。この構成によれば、外側ルーバー部材２２を通過した噴流水は、その勢いが中間ルーバー部材２４により弱められることで水滴となり易くなる。さらに、中間ルーバー部材２４を通過した水滴は、その勢いが内側ルーバー部材２３により弱められることで降下し易くなる。
【００３０】
また、外側ルーバー部材２２における複数の通気部２５は、外側ルーバー部材２２を構成する本体板２６よりも外側に突出するとともに下方に開口する羽板２７を有している。この構成によれば、外側ルーバー部材２２によって上方からの噴流水の侵入が好適に抑制される。
【００３１】
また、本実施形態の換気装置１１では、内側ルーバー部材２３における複数の通気部２５は、内側ルーバー部材２３を構成する本体板２６よりも内側に突出するとともに上方に開口する羽板２７を有している。この構成によれば、内側ルーバー部材２３の羽板２７に付着した水滴は内側ルーバー部材２３との中間ルーバー部材２４との間（内側捕集室Ｒ２）で図２に破線矢印で示すように流下する。
【００３２】
なお、外側ルーバー部材２２と中間ルーバー部材２４との間（外側捕集室Ｒ１）で捕集された水、及び内側ルーバー部材２３と中間ルーバー部材２４との間（内側捕集室Ｒ２）で捕集された水は、図２に破線矢印で示すように枠体３１の有する排水口３１ａを通じて筐体Ｈ外に排出される。
【００３３】
次に、本実施形態の特徴的な作用効果を記載する。
（１）換気装置１１は、屋外に設置されるとともに電気機器を収容する筐体Ｈの側部Ｓに取り付けられ、筐体Ｈ内を換気するための装置である。換気装置１１は、複数の通気部２５を有するルーバー部材２１と、ルーバー部材２１を支持するとともに筐体Ｈの側部Ｓの外側に突出する枠体３１とを備えている。通気部２５は、ルーバー部材２１を構成する本体板２６が有する貫通孔２６ａと、貫通孔２６ａを覆う羽板２７とから構成されている。ルーバー部材２１は、外側ルーバー部材２２と、内側ルーバー部材２３と、外側ルーバー部材２２と内側ルーバー部材２３との間に配置される中間ルーバー部材２４とを備えている。外側ルーバー部材２２における複数の通気部２５は、外側ルーバー部材２２を構成する本体板２６よりも外側に突出するとともに下方に開口する羽板２７を有している。
【００３４】
この構成によれば、上述した作用が得られる。従って、筐体Ｈに取り付けられることで外部からの噴流水に対する防水性を高めることを可能にした換気装置１１を提供することができる。例えば、ＪＩＳ  Ｃ０９２０に規定される防噴流形（ＩＰＸ５）の防水性能の要求に対応することも可能となる。
【００３５】
（２）換気装置１１の中間ルーバー部材２４は、同中間ルーバー部材２４を構成する本体板２６よりも外側に突出するとともに上方に開口する羽板２７を有している。
換気装置１１の外側ルーバー部材２２が同外側ルーバー部材２２を構成する本体板２６よりも外側に突出するとともに下方に開口する羽板２７を有している場合、図２に実線矢印で示すように、下方から上方へ向かう噴流水が外側ルーバー部材２２を通じて侵入し易くなる。上記構成によれば、中間ルーバー部材２４は、外側に突出するとともに上方に開口する羽板２７を有するため、外側ルーバー部材２２を通じて侵入した噴流水は、中間ルーバー部材２４の羽板２７の外面に衝突し易くなる。これにより、外側ルーバー部材２２と中間ルーバー部材２４との間（外側捕集室Ｒ１）に侵入した噴流水は、その勢いが弱められ、水滴となって降下し易くなる。また、中間ルーバー部材２４の羽板２７は、上記のように構成されているため、図２に破線矢印で示すように、勢いを失った水滴が内側ルーバー部材２３と中間ルーバー部材２４との間に誘導され易くなる。すなわち、内側ルーバー部材２３と中間ルーバー部材２４との間に侵入する水滴の勢いは失われているため、そうした水滴は内側ルーバー部材２３を通過し難い。従って、外部からの噴流水に対する防水性をさらに高めることが可能となる。
【００３６】
（３）内側ルーバー部材２３における複数の通気部２５は、内側ルーバー部材２３を構成する本体板２６よりも内側に突出するとともに上方に開口する羽板２７を有している。これにより、上述した作用が得られるため、外部からの噴流水に対する防水性をさらに高めることが可能となる。
【００３７】
（４）特許文献２に開示されるように、内側ルーバー部分の羽板と中間ルーバー部分の羽板とが互いに接近する方向に突出する構成において、互いの羽板同士の間隔を広げるべく側壁部の間隔を広めることで、防水性を高めることは可能である。ところが、この場合、換気部分の厚さ寸法がより大きくなり、例えば、換気部分以外の設計への影響が大きくなり易くなる。この点、本実施形態の換気装置１１では、内側ルーバー部材２３の羽板２７が突出する方向と中間ルーバー部材２４の羽板２７が突出する方向とが互いに離間する方向であるため、換気装置１１の厚さ寸法を小さく抑えつつ、互いの羽板２７同士の間隔を確保することが可能となる。これにより、よりコンパクトで好適な防水性を発揮する換気装置１１を提供することが可能となる。
【００３８】
（５）中間ルーバー部材２４は、内側ルーバー部材２３と共通の締結部材４１で枠体３１に固定されている。この場合、換気装置１１の構造を簡略化することができる。
（６）中間ルーバー部材２４は、外側ルーバー部材２２と内側ルーバー部材２３との間における中間ルーバー部材２４の本体板２６の位置を位置決めする位置決め部（突出部２８ａ）を有している。この場合、中間ルーバー部材２４が位置決めされることで、外側捕集室Ｒ１及び内側捕集室Ｒ２が所定の大きさとなるように中間ルーバー部材２４の本体板２６の位置を安定させることができる。従って、所定の防水性能が発揮され易くなる。なお、本実施形態における中間ルーバー部材２４の突出部２８ａは、本体板２６よりも内側に突出する構成であるが、本体板２６よりも外側に突出する構成に変更してもよい。この場合であっても、同様の効果が得られる。
【００３９】
なお、上記実施形態は、以下のように変更してもよい。
・上記中間ルーバー部材２４は、内側ルーバー部材２３と共通の締結部材４１で枠体３１に固定されているが、図３に示すように、外側ルーバー部材２２と共通の締結部材４１で枠体３１に固定することもできる。
【００４０】
・中間ルーバー部材２４は、内側ルーバー部材２３及び外側ルーバー部材２２のいずれとも異なる締結部材４１で枠体３１に固定してもよい。
・上記換気装置１１は、枠体３１に外側ルーバー部材２２を締結する締結部材４１により、筐体Ｈの側部Ｓに取り付けられているが、この締結部材４１と異なる締結部材で側部Ｓに取り付けることもできる。
【００４１】
・枠体３１に対するルーバー部材２１の取り付けや、筐体Ｈの側部Ｓに対する換気装置１１の取り付けは、締結部材４１を用いずに、例えば溶接を用いてもよい。
・図３に示すように、上記中間ルーバー部材２４は、複数の通気部２５が本体板２６よりも内側に突出するとともに下方に開口する羽板２７を有する中間ルーバー部材２９に変更することもできる。なお、中間ルーバー部材２９の下端部についても上記中間ルーバー部材２４と同様に排水部２９ａを有している。但し、このように変更した場合、外側ルーバー部材２２を通じて侵入した噴流水は、図３に実線矢印で示すように、中間ルーバー部材２９の羽板２７の外面ではなく内面に衝突し易くなる。これにより、内側捕集室Ｒ２に比較的勢いの強い水滴が侵入したり、内側捕集室Ｒ２に侵入する水の量が一時的に増したりするおそれがある。すなわち、外部からの噴流水に対する防水性を高めるという観点から、図３に示す換気装置１１よりも、上記実施形態の換気装置１１が好ましい。
【００４２】
・上記中間ルーバー部材２４において、複数の通気部２５の羽板２７を下方に開口する羽板に変更してもよいし、図３に示す中間ルーバー部材２９において、複数の通気部２５の羽板２７を上方に開口する羽板に変更してもよい。
【００４３】
・上記内側ルーバー部材２３において、複数の通気部２５の羽板２７を内側ルーバー部材２３の本体板２６よりも外側に突出するように変更してもよいし、下方に開口するように変更してもよい。上記実施形態の換気装置１１において、内側ルーバー部材２３における羽板２７を内側ルーバー部材２３の本体板２６よりも外側に突出する構成に変更した変更例では、次のような作用効果が得られる。まず、外側ルーバー部材２２の羽板２７と中間ルーバー部材２４の羽板２７とが同じく外側に突出するため、上記（４）欄で述べたように、換気装置の厚さ寸法を小さく抑えつつ、互いの羽板同士の間隔を確保することが可能となる。これにより、よりコンパクトで好適な防水性を発揮する換気装置を提供することが可能となる。さらに、内側ルーバー部材２３における羽板２７を内側ルーバー部材２３の本体板２６よりも外側に突出するとともに下方に開口するように変更することで、内側ルーバー部材２３の羽板２７よりも内側に水滴が侵入し難くなるため、防水性をさらに高めることが可能となる。
【００４４】
・上記ルーバー部材２１の外形は、四角形状であるが、例えば円形状等の他の形状に変更してもよい。なお、この場合、枠体３１についても、ルーバー部材２１の形状に応じて変更することができる。
【００４５】
・図４に示すように、内側ルーバー部材２３と、中間ルーバー部材２４との間にフィルター及び防虫網の少なくとも一方の異物侵入抑制部材５１を配置してもよい。この場合、枠体３１の排水口３１ａは、異物侵入抑制部材５１と中間ルーバー部材２４との間に連通するとともに異物侵入抑制部材５１と外側ルーバー部材２２との間に連通しないように構成される。この構成によれば、排水口３１ａから外気が流入したとしても、その外気は、異物侵入抑制部材５１を通過するため、筐体Ｈ内に侵入する異物を好適に低減することができる。また、例えば、異物侵入抑制部材５１として、比較的通気性の高いフィルターを採用したとしても、上記中間ルーバー部材２４により、外部からの噴流水に対する防水性を高めることが可能である。
【００４６】
・上記中間ルーバー部材２４は、位置決め部として突出部２８ａを有しているが、例えば、中間ルーバー部材２４とは別体のスペーサ等の位置決め部材を用いて位置決めすることもできる。
【００４７】
・上記換気装置１１は、筐体Ｈ内の空気を排気する排気口として用いているが、筐体Ｈにおいて、例えば、扉の下側部分や扉以外の側壁部等の側部Ｓに設けることで、筐体Ｈ内に空気を取り入れる吸気口として用いてもよい。なお、換気装置１１を筐体Ｈ内に空気を取り入れる吸気口に適用する場合は、外部から筐体Ｈ内への異物の侵入を抑制するために、上述した異物侵入抑制部材５１を設けることが好ましい。
【符号の説明】
【００４８】
１１…換気装置、２１…ルーバー部材、２２…外側ルーバー部材、２３…内側ルーバー部材、２４，２９…中間ルーバー部材、２５…通気部、２６…本体板、２６ａ…貫通孔、２７…羽板、３１…枠体、５１…異物侵入抑制部材、Ｈ…筐体、Ｓ…側部。
【図１】
2017157614.tif 000003
【図２】
2017157614.tif 000004
【図３】
2017157614.tif 000005
【図４】
2017157614.tif 000006